(57)【要約】【課題】  打撃時の振動力を吸収するクッション材を備えたゴルフクラブヘッドを提供する。【解決手段】上面に開口を有すると共に、一側にシャフトを設置するためのねじ孔１２を有するネック１１が設けられるヘッド本体１０と、本体１０前面に設置されるフェイス板２０を有し、前記開口にカバー３０が取着されたクッション材４０を備えたゴルフクラブヘッドであって、ネック１１一側に充填口１３を有し、ヘッド本体１０一側にはフェイス板２０を設置するため取付開口部１５が形成され、取付開口部１５に隔壁プレート１４が固着されるようになっており、フェイス板２０と隔壁プレート１４の間に充填口１３と連通する収容部１６が形成され、隔壁プレート１４の周縁には収容部１６における空気を排出するための通気孔１４２が形成され、かつヘッド本体に排気孔が形成された構成とし、前記収容部にネック１１の充填口１３を介してクッション材を充填する構成とした。【選択図】図１
0003107536.tif 000002
【実用新案登録請求の範囲】
【請求項１】
上面に開口を有すると共に、一側にシャフトを取着するためのねじ孔を有するネックが設けられたヘッド本体と、該ヘッド本体の前面に設置されるフェイス板を有し、前記上面開口にカバーが設けられるクッション材を備えたゴルフクラブヘッドであって、
前記ネックの一側に充填口を有し、前記ヘッド本体の一側にフェイス板を設置するため取付開口部が形成されると共に、該取付開口部には隔壁プレートが設けられ、前記フェイス板と隔壁プレートとの間に前記充填口と連通する収容部が形成されており、前記隔壁プレートの周縁に沿って収容部内の空気を排出するための通気孔が形成され、さらに前記ヘッド本体には排気孔が形成され、前記収容部に前記クッション材が充填されるようにしたことを特徴とするクッション材を備えたゴルフクラブヘッド。
【請求項２】
前記収容部における隔壁プレートの一側にリング状溝が形成されると共に、収容部に対する隔壁プレートの他側には補強用のリブが設けられていることを特徴とする請求項１に記載のクッション材を備えたゴルフクラブヘッド。
【請求項３】
前記隔壁プレートの厚さは０.２〜０.３mmであり、リブの厚さは１mmであることを特徴とする請求項２に記載のクッション材を備えたゴルフクラブヘッド。
【考案の詳細な説明】
【技術分野】
【０００１】
本考案は、特に打撃時の振動力が吸収されるクッション材を備えたゴルフクラブヘッドに関するものである。
【背景技術】
【０００２】
従来の金属製のゴルフクラブヘッドは殆ど中空状であるが、このような中空状構造では、打撃時に振動が発生し、その振動がシャフトから使用者の手に伝わるため、使用者に不快感を与えてしまうという問題点があった。
前記問題を解決するために、クラブヘッドの内部に振動緩衝材を充填することにより、打撃時の振動を緩衝するゴルフクラブヘッドが提案されている。
また、このようなゴルフクラブヘッドは従来よく使用される公知のものであるため、特に実用新案文献又は非実用新案文献に記載されていなかった。
【考案の開示】
【考案が解決しようとする課題】
【０００３】
しかしながら、前記内部に振動緩衝材を有する従来のゴルフクラブヘッドは振動緩衝材を充填するため、製造工程が複雑になると共に、コストが高くなってしまう。
そこで、出願されたのが本考案であって、打撃時の振動力が吸収されるクッション材を備えたゴルフクラブヘッドを提供することを目的としている。
【課題を解決するための手段】
【０００４】
本願の請求項１の考案は、上面に開口を有すると共に、一側にシャフトを取着するためのねじ孔を有するネックが設けられたヘッド本体と、該ヘッド本体の前面に設置されるフェイス板を有し、前記上面開口にカバーが設けられるクッション材を備えたゴルフクラブヘッドであって、前記ネックの一側に充填口を有し、前記ヘッド本体の一側にフェイス板を設置するため取付開口部が形成されると共に、該取付開口部には隔壁プレートが設けられ、前記フェイス板と隔壁プレートとの間に前記充填口と連通する収容部が形成されており、前記隔壁プレートの周縁に沿って収容部内の空気を排出するための通気孔が形成され、さらに前記ヘッド本体には排気孔が形成され、前記収容部に前記クッション材が充填されるようにしたことを特徴とする。
【０００５】
請求項２の考案は、請求項１に記載のクッション材を備えたゴルフクラブヘッドにおいて、前記収容部における隔壁プレートの一側にリング状溝が形成されると共に、収容部に対する隔壁プレートの他側には補強用のリブが設けられていることを特徴とする。
【０００６】
請求項３の考案は、請求項２に記載のクッション材を備えたゴルフクラブヘッドにおいて、前記隔壁プレートの厚さは０.２〜０.３mmであり、リブの厚さは１mmであることを特徴とする。
【考案の効果】
【０００７】
本考案は上記の課題を解決するものであり、ヘッド本体における隔壁プレートとフェイス板との間に形成される収容部にクッション材を充填することにより、打撃時の振動力を簡単に吸収することが達成できる。
【考案を実施するための最良の形態】
【０００８】
以下、添付図面を参照して本考案の好適な実施の形態を詳細に説明する。尚、下記実施例は本考案の好適な実施の形態を示したものにすぎず、本考案の技術的範囲は下記実施例そのものに何ら限定されるものではない。
【実施例】
【０００９】
図１は本考案に係るクッション材を備えたゴルフクラブヘッドの実施例を示す分解斜視図であり、図２は本考案に係るクッション材を備えたゴルフクラブヘッドの実施例を示す一部分解斜視図であり、図３は本考案に係るクッション材を備えたゴルフクラブヘッドの縦断面図であり、図４は本考案に係るクッション材を備えたゴルフクラブヘッドの一部拡大断面図である。
【００１０】
図１及び図２に示すように、本考案に係るクッション材を備えたゴルフクラブヘッドは、ヘッドの上面に開口１０１を有するヘッド本体１０と打球面（フェイス）となるフェイス板２０を有し、該開口１０１にカバー３０が設けられ、ヘッド本体１０の一側にシャフトを設置するためねじ孔１２を有するネック１１が設けられ、該ネック１１の一側にクッション材装填用の充填口１３が形成されている。
【００１１】
また、図３及び図４に示すように、ヘッド本体１０の一側にフェイス板２０を設置するための取付開口部１５が形成されると共に、該取付開口部１５の端部より内方側に位置して隔壁プレート１４が設けられ、フェイス板２０と隔壁プレート１４との間に前記充填口１３と連通する収容部１６が形成される。
【００１２】
また、ゴルフクラブヘッドの重量を減らすために、加工後の隔壁プレート１４の厚さは０.２〜０.３mmのほうが望ましい。また、打撃及び振動によって断裂する問題を防止するために、収容部１６に対する隔壁プレート１４の他側に補強用のリブ１４１が設けられ、該リブの厚さは１mmのほうが望ましい。更に、収容部１６における隔壁プレート１４に周縁に沿ってリング状溝１４３が形成されることにより、フェイス板２０を溶接する際、隔壁プレート１４とフェイス板２０の距離が短すぎることによって隔壁プレート１４が損壊されることを防止する。また、隔壁プレート１４の周縁に、収容部１６内の空気を排出するための通気孔１４２が形成されている。
【００１３】
前記フェイス板２０とヘッド本体１０とを溶接した後、クッション材４０の充填パイプ（符号なし）をネック１１のねじ孔１２に螺合し、前記クッション材４０を充填孔１３を介して収容部１６に充填すると共に、収容部１６における空気を通気孔１４２を介して中空のヘッド本体１０側に排出し、更に、ヘッド本体１０における排気孔１０２を介して該空気をヘッド本体１０外へ排出することにより、前記クッション材４０が収容部１６の内部にいっぱい充填される。
【産業上の利用可能性】
【００１４】
本考案は上記の構成を有するので、ヘッド本体における隔壁プレートとフェイス板との間に形成される収容部にクッション材を充填することにより、打撃時の振動力を簡単に吸収することが達成できる。
【図面の簡単な説明】
【００１５】
【図１】本考案に係るクッション材を備えたゴルフクラブヘッドの実施例を示す分解斜視図である。
【図２】本考案に係るクッション材を備えたゴルフクラブヘッドの実施例を示す一部分解斜視図である。
【図３】本考案に係るクッション材を備えたゴルフクラブヘッドの断面図である。
【図４】本考案に係るクッション材を備えたゴルフクラブヘッドの一部拡大断面図である。
【符号の説明】
【００１６】
１０        ヘッド本体
１０１      開口
１０２      排気孔
１１        ネック
１２        ねじ孔
１３        充填口
１４        隔壁
【図１】
0003107536.tif 000003
【図２】
0003107536.tif 000004
【図３】
0003107536.tif 000005
【図４】
0003107536.tif 000006